【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムの招待側ユーザからイベントに関する情報を受け取るステップであって、前記情報は、場所と、時間と、前記イベントに関連付けられている前記ソーシャルネットワーキングシステムの１以上のユーザとのうちの１つ以上を含む、受取ステップと、
前記招待側ユーザとつながりがあり、前記イベントにまだ関連付けられていないソーシャルネットワーキングシステムユーザのユーザプロファイルにアクセスするアクセスステップと、
前記招待側ユーザとつながりがあり、前記イベントにまだ関連付けられていない前記ソーシャルネットワーキングシステムユーザから候補ユーザの組を選択する組選択ステップと、
前記招待側ユーザに対する、前記候補ユーザの各々を前記イベントに招待する提案が、前記候補ユーザが前記イベントに参加することをもたらすかどうかを予測する予測ステップと、
前記予測に基づき、前記組から１以上の候補ユーザを選択するユーザ選択ステップと、
前記イベントの招待を選択された前記１以上の候補ユーザに送る提案を前記招待側ユーザに送る招待ステップと、
を含む、方法。
【請求項２】
組選択ステップは、
前記イベントに関する前記情報に含まれる前記場所から指定された距離内の場所を自身のユーザプロファイルに有し、前記招待側ユーザとつながりがあり、前記イベントに関する前記情報によって識別されていないユーザを選択するステップ
を含む、請求項１に記載の方法。
【請求項３】
組選択ステップは、
前記イベントに関する前記情報に含まれる前記場所から指定された距離内の場所を自身のユーザプロファイルに有し、前記イベントに関する前記情報に含まれる前記時間における予定の空きを有するユーザを選択するステップ
を含む、請求項１に記載の方法。
【請求項４】
候補ユーザを招待する前記提案が、前記候補ユーザが前記イベントに参加することをもたらすかどうかの前記予測は、前記招待側ユーザによる前記候補ユーザに対する親和性に基づく、請求項１に記載の方法。
【請求項５】
ユーザ選択ステップは、
候補ユーザによる前記招待側ユーザに対する親和性と、前記招待側ユーザが出席したイベントに該候補ユーザが出席した履歴とに基づき、該候補ユーザが前記イベントに参加する可能性を求めるステップと、
前記イベントに参加する可能性が最も高い１以上の候補ユーザを選択するステップと、を含む、請求項１に記載の方法。
【請求項６】
ユーザ選択ステップは、
候補ユーザによる前記招待側ユーザに対する親和性と、前記招待側ユーザが出席したイベントに出席した前記ユーザの部分集合のユーザの履歴とに基づき、候補ユーザが前記イベントに参加する可能性を求めるステップと、
前記イベントに参加する閾値の可能性以上の可能性を有する１以上の候補ユーザを選択するステップと、
を含む、請求項１に記載の方法。
【請求項７】
ユーザ選択ステップは、
候補ユーザによる前記招待側ユーザに対する親和性と、前記招待側ユーザが出席したイベントに該候補ユーザが出席した履歴と、前記イベントに関する前記情報に含まれる前記時間における該候補ユーザの場所とに基づき、該候補ユーザが前記イベントに参加する可能性を求めるステップと、
前記イベントに参加する閾値の可能性以上の可能性を有する１以上の候補ユーザを選択するステップと、
を含む、請求項１に記載の方法。
【請求項８】
前記イベントに関する前記情報に含まれる前記時間における前記候補ユーザの場所は、前記候補ユーザから受け取られる、前記招待によって識別される前記場所に関連付けられている追加のイベントに対する１つ以上の応答から求められる、請求項７に記載の方法。
【請求項９】
ユーザ選択ステップは、
前記組の各候補ユーザに社会的値を割り当てるステップと、
前記組の各候補ユーザが前記イベントに参加する確率を求めるステップと、
前記組の各候補ユーザについて期待値を求めるステップであって、候補ユーザの期待値は、該候補ユーザの社会的値と、該候補ユーザが前記イベントに参加する確率とに基づく、求めるステップと、
最も高い期待値を有する１以上の候補ユーザを選択するステップと、
を含む、請求項１に記載の方法。
【請求項１０】
招待を受け取る候補ユーザを識別する応答を前記招待側ユーザから受け取るステップと、識別された前記ユーザに関連付けられている電子装置に前記イベントの通知を送るステップと、
を更に含む、請求項１に記載の方法。
【請求項１１】
前記招待ステップは、
前記招待側ユーザに関連付けられている電子装置に送られるニュースフィードに、選択された前記１以上の候補ユーザを識別するストーリを含めるステップ
を含む、請求項１に記載の方法。
【請求項１２】
前記招待ステップは、
前記招待側ユーザに関連付けられている電子装置に、選択された前記１以上の候補ユーザを識別する通知を送るステップ
を含む、請求項１に記載の方法。
【請求項１３】
前記イベントに関連付けられている前記ソーシャルネットワーキングシステムの前記１以上のユーザは、前記イベントに招待された前記ソーシャルネットワーキングシステムの１以上のユーザを含む、請求項１に記載の方法。
【請求項１４】
前記イベントに関連付けられている前記ソーシャルネットワーキングシステムの前記１以上のユーザは、前記イベントに出席している前記ソーシャルネットワーキングシステムの１以上のユーザを含む、請求項１に記載の方法。
【請求項１５】
ソーシャルネットワーキングシステムの招待側ユーザからイベントに関する情報を受け取るステップであって、前記情報は、場所と、時間と、前記イベントに関連付けられている前記ソーシャルネットワーキングシステムの１以上のユーザとのうちの１つ以上を含む、受取ステップと、
前記招待側ユーザとつながりがあり、前記イベントにまだ関連付けられていないソーシャルネットワーキングシステムユーザのユーザプロファイルにアクセスするアクセスステップと、
前記招待側ユーザとつながりがあり、前記イベントにまだ関連付けられていない前記ソーシャルネットワーキングシステムユーザから候補ユーザの組を選択する組選択ステップと、
前記組の前記候補ユーザの各々が、招待された場合に前記イベントに参加する可能性を求めるステップであって、候補ユーザが前記イベントに参加する可能性は、該候補ユーザと前記招待側ユーザとの間の親和性に基づく、可能性ステップと、
求められた前記可能性に基づき、前記組から１以上の候補ユーザを選択するユーザ選択ステップと、
前記イベントの招待を選択された前記１以上の候補ユーザに送る提案を前記招待側ユーザに送る招待ステップと、
を含む、方法。
【請求項１６】
前記イベントの前記招待が、選択された前記１以上の候補ユーザに送られたという確認を前記招待側ユーザに送るステップ
を更に含む、請求項１５に記載の方法。
【請求項１７】
組選択ステップは、
前記イベントに関する前記情報に含まれる前記場所から指定された距離内の場所を自身のユーザプロファイルに有し、前記招待側ユーザとつながりがあり、前記イベントに関する前記情報によって識別されていないユーザを選択するステップ
を含む、請求項１５に記載の方法。
【請求項１８】
組選択ステップは、
前記イベントに関する前記情報に含まれる前記場所から指定された距離内の場所を自身のユーザプロファイルに有し、前記イベントに関する前記情報に含まれる前記時間における予定の空きを有するユーザを選択するステップ
を含む、請求項１５に記載の方法。
【請求項１９】
ユーザ選択ステップは、
前記イベントに参加する可能性が最も高い１以上の候補ユーザを選択するステップ
を含む、請求項１５に記載の方法。
【請求項２０】
ユーザ選択ステップは、
前記イベントに参加する閾値の可能性以上の可能性を有する１以上の候補ユーザを選択するステップ
を含む、請求項１５に記載の方法。
【請求項２１】
可能性ステップは、
前記組の各候補ユーザに社会的値を割り当てるステップと、
前記組の各候補ユーザが前記イベントに参加する確率を求めるステップと、
前記組の各候補ユーザについて期待値を求めるステップであって、候補ユーザの期待値は、該候補ユーザの社会的値と、該候補ユーザが前記イベントに参加する確率とに基づく、求めるステップと、
を含む、請求項１５に記載の方法。
【請求項２２】
ユーザ選択ステップは、
最も高い期待値を有する１以上の候補ユーザを選択するステップ
を含む、請求項２１に記載の方法。
【請求項２３】
前記招待ステップは、
前記招待側ユーザに関連付けられている電子装置に送られるニュースフィードに、選択された前記１以上の候補ユーザを識別するストーリを含めるステップ
を含む、請求項１５に記載の方法。
【請求項２４】
前記イベントに関連付けられている前記ソーシャルネットワーキングシステムの前記１以上のユーザは、前記イベントに招待された前記ソーシャルネットワーキングシステムの１以上のユーザを含む、請求項１５に記載の方法。